(57)【要約】【課題】装着される装飾部材個々の装飾効果を最大限に引き出すことができ、また、目線の向きに拘わらず装飾効果を得ることができる装飾用照明具を提供する。【解決手段】発光体２を備えた基体３と、この基体に併設されて前記発光体を露出させた状態で設けられる保持部材４と、光透過性材料によって形成され、前記保持部材に装着されて前記発光体を覆う装飾部材５とからなる。【選択図】図５
2015076240.tif 000002
【特許請求の範囲】
【請求項１】
発光体を備えた基体と、この基体に併設されて前記発光体を露出させた状態で設けられる保持部材と、光透過性材料によって形成され、前記保持部材に装着されて前記発光体を覆う装飾部材とからなることを特徴とする装飾用照明具。
【請求項２】
前記基体が複数設けられ、これらの基体どうしを交差させて連結し、これらの基体間に前記保持部材が装着されていることを特徴とする請求項１に記載の装飾用照明具。
【請求項３】
前記基体が複数設けられ、これらの基体どうしを、可撓性を有する材料によって形成された連結部材によって連結し、この連結部材の可撓性を利用して前記複数の基体の位置関係を調整することにより、これらの基体を、前記保持部材の表面に沿うように併設したことを特徴とする請求項１に記載の装飾用照明具。
【請求項４】
前記発光体が発光ダイオードであることを特徴とする請求項１ないし請求項３の何れかに記載の装飾用照明具。
【請求項５】
前記保持部材が、発泡樹脂によって形成されていることを特徴とする請求項１ないし請求項４の何れかに記載の装飾用照明具。
【発明の詳細な説明】
【技術分野】
【０００１】
本発明は、装飾用照明具に係わり、特に、光線を用いて装飾具を浮立たせるようにした装飾用照明具に関するものである。
【背景技術】
【０００２】
一般に、室内の装飾に草花や観葉植物が用いられて、その色彩によって癒やしを与えることが行なわれている。
【０００３】
ところで、これらの草花や観葉植物の色彩は、自然光や室内の照明光を受けることによって視認されることから、これらの自然光や室内の照明光が得られない状況下では、前述した癒やし効果が得られない。
【０００４】
このような問題点に対処すべく従来では、たとえば、特許文献１に示されるような技術が提案されている。
【０００５】
この技術は、コードを内蔵した容器形の花器本体の中心部に、コードを挿通させた照明具付ソケット受筒を直立状に設け、このソケット受筒を中心にして前記花器本体の上部に筒状の仕切壁を中央部に壁を設けることによって筒部を形成した受け皿を挿着し、この受け皿の外壁との間の凹陥部に花挿着材を取り付け、前記筒部の外側に仕切壁より高い筒状のガラス管を設けたもので、前記照明具まわりに植物等の装飾部材を配置し、前記照明具により、前記装飾部材にその後方から光を当てることにより、この装飾部材を浮かび上がらせるようにし、自然光や室内の照明光が得られない場合でも、前記装飾部材を観賞できるようにしている。
【先行技術文献】
【特許文献】
【０００６】
【特許文献１】特開２００１−２８６３７７号公報
【発明の概要】
【発明が解決しようとする課題】
【０００７】
ところで、前述した従来の技術においては、なお、つぎのような改善すべき問題点が残されている。
すなわち、前述した技術では、前記装飾部材を、一点から照射される光で浮かび上がらせるようにしていることから、前記装飾部材が光の照射方向において重畳させられている場合、これらの装飾部材が重なり合った状態でのシルエットが形成されてしまうといった問題点である。
【０００８】
このように重なり合った状態でのシルエットが形成されると、装飾部材個々の特徴が失われてしまい、効果的な装飾作用や癒やし作用が得られない。
【０００９】
また、前記装飾部材が前記照明具のまわりに配置されるようになされているため、光による効果的な装飾作用や癒やし作用を得るためには、前記装飾部材が目線近傍の狭い範囲に位置するように設置しなければならない。
【００１０】
したがって、背の高い装飾部材の場合には、これらの装飾部材が、照明具と目線との間に位置させられることにより、これらの装飾部材が光によって浮かび上がり、効果的な装飾作用を得ることができるが、背の低い装飾部材であると、目線が下向きになり、前記装飾部材が目線よりも下方に位置させられることにより、前述した光による装飾作用が得られないことも想定される。
【００１１】
そして、後者の場合に、照明具の光が直接目に入り、装飾具としての機能が損なわれしまうことも懸念される。
【課題を解決するための手段】
【００１２】
本発明の装飾用照明具は、前述した従来の問題点に鑑みてなされたもので、発光体を備えた基体と、この基体に併設されて前記発光体を露出させた状態で設けられる保持部材と、光透過性材料によって形成され、前記保持部材に装着されて前記発光体を覆う装飾部材とからなることを特徴とする。
【００１３】
このような構成とすることにより、前記保持部材を前記基体に併設した状態で、この基体に設けられている発光体が露出状態に保持される。
すなわち、前記発光体まわりが前記保持部材によって取り囲まれた状態を形成することができる。
【００１４】
そして、前述したように併設された前記保持部材に前記装飾部材を取り付けて装飾用照明具とするが、前記保持部材が前記発光体を取り囲むように位置されていることから、この保持部材に装着される装飾部材によって、前記発光体を、ほぼ全面にわたって覆うことができる。
【００１５】
この状態において、前記発光体を発光させることによって、その光を前記装飾部材に照射して使用に供されるが、前記発光体が前記装飾部材によってほぼ全面にわたって覆われていることから、前記発光体からの光が前記装飾部材へ確実に照射されて、その装飾効果が確実に得られる。
【００１６】
また、前述したように、前記発光体が前記装飾部材によってほぼ全面にわたって覆われていることから、前記発光体から照射される光が直接目に入るようなことがなく、前述した装飾効果が損なわれることはない。
【００１７】
そして、前記装飾部材が低い場合でも前述した装飾効果が確実に得られ、したがって、装飾用照明具と目線との位置関係を考慮する必要がなくなり、その設置位置の自由度が高められる。
【００１８】
一方、前記発光体を前記基体に複数配置することにより、この基体に併設される前記保持部材表面に複数の発光体を位置させることができる。
これによって、前記保持部材に取り付けられる前記装飾部材が増えた場合にあっても、それぞれの装飾部材に最適な照射位置を設定することができるので、装飾効果を維持しつつ前記装飾部材の数量制限を極力なくして、装飾用照明具における表現の自由度を高めることができる。
【００１９】
そして、前記基体を複数設けて、これらの基体どうしを交差させて連結し、これらの基体間に前記保持部材を装着することにより、この保持部材の支持を容易にするとともに、前記基体に設けられる前記発光体の配列を自由に設定することができる。
【００２０】
これによって、本発明の装飾用照明具の形状を自由に変更することができ、この点からも、前述した表現の幅を広げることができる。
【００２１】
また、前記基体を複数設けて、これらの基体どうしを、可撓性を有する材料によって形成された連結部材によって連結しておき、この連結部材の可撓性を利用して前記複数の基体の位置関係を調整することにより、これらの基体を、前記保持部材の表面に沿うように併設することも可能である。
【００２２】
このような構成とすることにより、前記基体を、前記保持部材の表面形状に合わせて配置することができ、この結果、本発明の装飾用照明具の基本形状の変更に容易に対応することができる。
【００２３】
一方、前記発光体を発光ダイオードによって構成することが可能で、この場合、その低発熱性能によって、前記装飾部材への熱的影響を緩和し、また、省電力性能により、使用電力の軽減を図ることができる。
【００２４】
また、前記保持部材を発泡樹脂によって形成することが可能である。
これによって、前記装飾部材の取り付けを簡便なものとすることができるとともに、装飾用照明具の基本形状の作成を容易にすることができる。
【発明の効果】
【００２５】
このように、本発明の装飾用照明具によれば、装着される装飾部材個々の装飾効果を最大限に引き出すことができ、また、目線の向きに拘わらず装飾効果を得ることができる。
【図面の簡単な説明】
【００２６】
【図１】本発明の一実施形態を示す要部の平面図である。
【図２】本発明の一実施形態を示す要部の側面図である。
【図３】本発明の一実施形態を示すもので、基体と保持部材とを組み上げた状態を示す平面図である。
【図４】本発明の一実施形態を示すもので、基体と保持部材とを組み上げた状態を示す側面図である。
【図５】本発明の一実施形態を示す側面図である。
【図６】本発明の一実施形態を示す平面図である。
【図７】本発明の他の実施形態を示すもので、基体の平面図である。
【図８】本発明の他の実施形態を示すもので、基体の要部の正面図である。
【図９】本発明の他の実施形態を示すもので、基体を保持部材に併設した状態を示す要部の概略図である。
【図１０】本発明の他の実施形態を示す平面図である。
【発明を実施するための形態】
【００２７】
以下、本発明の一実施形態について、図１ないし図６を参照して説明する。
これらの図において符号１（図５および図６参照）は、本実施形態に関わる装飾用照明具を示し、発光体２を備えた基体３と、この基体３に併設されて前記発光体２を露出させた状態で設けられる保持部材４（図３および図４参照）と、光透過性材料によって形成され、前記保持部材４に装着されて前記発光体２を覆う装飾部材５（図５および図６参照）とによって構成されている。
【００２８】
次いで、これらの詳細について説明すれば、前記基体３は、本実施形態においては、全体形状が半円盤状となるように形成され、その円弧部に、放射状に突出するように複数の前記発光体２が装着され、また、直線部において円盤状の基台６に固定されている。
【００２９】
また、前記基体３は複数設けられ（本実施形態においては４個設けられた例を示した）、これらの基体３どうしが、その直線部の略中間部において交差するように連結されているとともに、この連結部が前記基台６の略中心に位置するようにこの基台６に固定されている。
【００３０】
そして、前記基台６と直交しかつ前記基体３の連結部を通る直線を中心線として前記基体３を回転させた際に、その回転体の形状が半球となるようになされている。
【００３１】
前記各発光体２は、前記基体３に形成されている電力線（図示略）によって相互に電気的に接続され、前記基体３の所定位置に装着されたカプラー７を介して電源もしくは点灯制御装置へ接続されるようになっている。
【００３２】
前記保持部材４は、本実施形態においては、前記基体３と前記基台６とで形成される３面と、前記基体３の回転体の面との４面で形成される空間形状となるように形成されている。
【００３３】
そして、前記保持部材４は、たとえば、発泡樹脂によって上記形状に成形され、あるいは、樹脂粒子を圧密成形することによって形成されて、棒状物若しくは針状物が容易に差し込まれ、かつ、これらを保持するようになっている。
【００３４】
また、本実施形態においては、前記保持部材４が、前記複数の基体３の隣り合う基体３間に形成される空間部のそれぞれに装着されることにより、前述した回転体とほぼ同一形状の半球体を形成するようになっているとともに、隣り合う保持部材４間において、両者間に位置させられている前記基体３に取り付けられている前記発光体２を表面に露出させるようになっている（図３および図４参照）。
以上により、本実施形態の主要部が組み上げられる。
【００３５】
一方、前記装飾部材４は、たとえば、鋼線や木材等によって形成されている支持棒に、紙や布等の透光性を有する材料によって形成された花びらや葉を取り付けることによって形成される造花が用いられる。
【００３６】
前述したように組み上げられた主要部を、たとえば、図５に示すように、装飾用カップ８にセットする。
ついで、前記主要部に前記装飾部材５の必要数を所望箇所に取り付けることによって本実施形態の装飾用照明具１を完成させる。
【００３７】
ここで、前記装飾部材５は、その支持棒を前記保持部材４に突き刺すことによって取り付けられるが、前記保持部材４が前記発光体２の至近位置まで配置されていることにより、装着される前記装飾部材５によって前記発光体２がほぼ覆われる。
【００３８】
そして、前記発光体２に電流を供給して発光させると、その光が前記装飾部材５へ照射されて、これらの装飾部材５が浮かびあがり、また、これらの装飾部材５によって和らげられた前記光が室内へと放射されて装飾効果が得られる。
【００３９】
前記発光体２が、前述したように前記装飾部材５によって覆われていることから、前記装飾用照明具１を見る角度にかかわりなく、前記発光体２からの照射光が直接目に入ることが抑制され、これによって、あらゆる方向から前記装飾部材５の浮かびあがる状態が視認できる。
したがって、安定した装飾効果を実現することができる。
【００４０】
さらに、前記発光体２が多数設けられ、これらを覆うようにして前記装飾部材５が取り付けられることから、これらの装飾部材５個々に対する光の照射が均一化される。
【００４１】
これによって、前記装飾部材５個々の装飾効果を効果的に引き出して、全体としての装飾効果を高めることができる。
【００４２】
ついで、本発明の他の実施形態について、図７ないし図１０を参照して説明する。
本実施形態においては、基体１０が複数設けられ、これらの基体１０どうしを、可撓性を有する材料によって形成された連結部材１１によって連結し、この連結部材１１の可撓性を利用して前記複数の基体１０の位置関係を調整することにより、これらの基体１０を、保持部材Ｚ（図９および図１０参照）の表面に沿って併設するようにしたものである。
【００４３】
前記基体１０は，長方形状に形成され、その長さ方向に離間した２位置に面状の発光体１２が装着され、３個の基体１０を通電線によって並列接続して一組の発光体群を構成している。
【００４４】
本実施形態においては、前記発光体群を８組用いており、中心に位置させられる基台１３に対して放射状に取り付けられている。
ここで、各発光体群は同一構造であることから、一組の発光体群の構成要素にのみ符号を付し、他の組の発光体群への符号の付与を省略する。
【００４５】
各発光体群の前記基台１３側に位置させられる基体１０と前記基台１３とは、前記基台１０どうしの接続と同様に通電線によって接続されている。
【００４６】
この通電線は、適度な塑性変形を生じる材料によって形成されることにより、前記連結部材１１を構成しており、その変形により、前述したように、隣接する基体１０どうしの姿勢変更を可能にし、かつ、その変更後の姿勢を保持するようになっている。
【００４７】
そして、前記各発光体群には、必要に応じて、図８に鎖線で示すように、全体に透明な樹脂被覆１４が施される。
【００４８】
一方、本実施形態においては、前記基台１３の、前記各発光体群の取り付け位置にも前記発光体１２が取り付けられており、また、前記保持部材Ｚは略立方体状に形成されている。
【００４９】
このように、前記基台１３と複数の発光体群は、図９および図１０に示すように、前記保持部材Ｚの表面に被せた後、前記連結部材１１の可撓性を利用して各発光体群のそれぞれの前記基体１０の姿勢を調整することにより、これらの基体１０を前記保持部材Ｚの表面に沿わせることにより、この保持部材Ｚに併設して主要部を組み上げる。
【００５０】
このようにして組み上げられた主要部にあっては、前記各基体１０に装着されている発光体１２が前記保持部材Ｚの表面に位置させられている。
【００５１】
ついで、前記主要部の保持部材Ｚに、前述した実施形態と同様の装飾部材５を、その支持棒を差し込むことによって、前記保持部材Ｚのほぼ前面を覆うように多数装着する。
【００５２】
装着された前記装飾部材５は、前述した実施形態と同様に、前記保持部材Ｚの表面に位置させられている前記発光体１２を覆うように配置され、これによって、前述した実施形態と同様の作用効果を奏することができる。
【００５３】
なお、前記各実施形態において示した各構成部材の諸形状や寸法等は一例であって、要求される装飾用照明具の形状や使用形態等に基づき種々変更可能である。
【００５４】
たとえば、前記発光体２・１２を発光ダイオードによって構成した例について示したが、これは、発熱量や消費電力において有利であることを理由としたもので、これらを考慮しない場合には、フィラメント等を用いた発光体を用いることも可能である。
【００５５】
また、前記基体３を半円盤状とし、全体として半球状とした例について示したが、これに代えて、前記基体３を円盤状として、全体形状を球状にすることも可能であり、また、前記基体３を矩形状にして、これらを格子状に組み合わせることにより、箱形の装飾用照明具とすることも可能である。
【００５６】
さらに、組み上げられた装飾用照明具を吊り下げて使用することも可能である。
この場合には、その形状を球体状にすることが好ましい。
【符号の説明】
【００５７】
１  装飾用照明具
２  発光体
３  基体
４  保持部材
５  装飾部材
６  基台
７  カプラー
８  装飾用カップ
１０  基体
１１  連結部材
１２  発光体
１３  基台
１４  樹脂被覆
Ｚ  保持部材
【図１】
2015076240.tif 000003
【図２】
2015076240.tif 000004
【図３】
2015076240.tif 000005
【図４】
2015076240.tif 000006
【図５】
2015076240.tif 000007
【図６】
2015076240.tif 000008
【図７】
2015076240.tif 000009
【図８】
2015076240.tif 000010
【図９】
2015076240.tif 000011
【図１０】
2015076240.tif 000012